(57)【要約】      （修正有）【課題】使用者ごとの身体的事情を問わず、点眼補助具を使用して目部の適切な位置に目薬を滴下させることができるように目薬を目部に滴下する位置を容易にかつ正確に決定することができる点眼補助具用スペーサまたはスペーサ付点眼補助具を提供する。【解決手段】点眼補助具用スペーサ１１は、目薬容器５１の容器本体５１ａが搭載された点眼補助具に取り付けられるスペーサ１１であって、スペーサ１１は、下向きの略コ字状断面のスペーサ本体と、スペーサ本体の上端に設けられ、点眼補助具と係合可能なフランジ部を備えた上端開口部と、スペーサ本体の下端開口縁に設けられ、長さ調整機構を備えた延伸部材１３とを備え、上端開口部が目薬容器５１の容器本体５１ａが搭載された点眼補助具の下部開口部に取り付けられることにより、目薬の点眼に際して、位置ズレすることなく正確に目薬を目部に滴下させることができる。【選択図】図５４
0003232308.tif 000002
【実用新案登録請求の範囲】
【請求項１】
目薬容器の容器本体が搭載された点眼補助具に取り付けられるスペーサであって、
前記スペーサは、下向きの略コ字状断面のスペーサ本体と、
前記スペーサ本体の上端に設けられ、前記点眼補助具と係合可能なフランジ部を備えた上端開口部と、
前記スペーサ本体の下端開口縁に設けられ、長さ調整機構を備えた延伸部材とを備え、
前記上端開口部が前記目薬容器の容器本体が搭載された点眼補助具の下部開口部に取り付けられることにより、目薬の点眼に際して、使用者ごとに前記長さ調整機構により長さを調整した前記延伸部材の端部をまぶたの下部に当接させるとともに、前記スペーサ本体の下端開口縁の前記スライド部と対向する部分をまぶたの上部に当接させることにより、前記目薬容器から目薬が滴下する位置を容易に決定することができ、位置ズレすることなく正確に目薬を目部に滴下させることができるようにしたことを特徴とする点眼補助具用スペーサ。
【請求項２】
リング状ガイドと、
前記リング状ガイドに取り付けられて前記目薬容器の容器本体を押圧する、弾性素材からなるほぼＵ字状の押圧翼とを備え、
前記リング状ガイド内には複数の切込みで形成された複数の保持片を備えたボトル保持部が内向きに取り付けられて首部のサイズの異なる目薬容器を挿着することができ、
前記リング状ガイドは外周側に所望の間隔で一対のガイド枠が突設され、かつ前記ガイド枠にはガイド孔が設けられており、
前記押圧翼はその内面側には適宜間隔で配置した一対の押圧用突起を備え、また前記リング状ガイドに設けた一対のガイド枠に対応してスライド片が形成され、このスライド片に設けた開口部を前記リング状ガイドのガイド枠内に外向きに突設したガイド片に係合させてあるため、
前記押圧翼を握る操作をすると、前記押圧用突起が目薬容器の容器本体を押圧して目薬容器から目薬がまぶたに点眼できるようにした点眼補助具の下部開口部に、
下向きの略コ字状断面のスペーサ本体と、
前記スペーサ本体の上端に設けられ、前記点眼補助具と係合可能なフランジ部を備えた上端開口部と、
前記スペーサ本体の下端開口縁に設けられ、長さ調整機構を備えた延伸部材とを備えたスペーサの前記上端開口部を取り付けることにより、
目薬の点眼に際して、使用者ごとに前記長さ調整機構により長さを調整した前記延伸部材の端部をまぶたの下部に当接させるとともに、前記スペーサ本体の下端開口縁の前記スライド部と対向する部分をまぶたの上部に当接させることにより、前記目薬容器から目薬が滴下する位置を容易に決定することができ、位置ズレすることなく正確に目薬を目部に滴下させることができるようにしたことを特徴とするスペーサ付点眼補助具。
【請求項３】
前記延伸部材が、前記スペーサ本体の下端開口縁から下向きに設けられた下垂部と、前記下垂部にスライド可能に取り付けられたスライド部材とからなることを特徴とする請求項１または２に記載の点眼補助具用スペーサまたはスペーサ付点眼補助具。
【請求項４】
前記長さ調整機構が、前記下垂部の中央に設けられたガイド溝と、前記ガイド溝の両側縁部分に所定の間隔で複数設けられた左右一対の係合突起と、前記スライド部材に設けられ、前記左右一対の係合突起に係合させる弾性ロック部材とからなり、
前記スライド部材を前記下垂部の長さ方向に沿ってスライドさせた際に、前記弾性ロック部材を前記左右一対の係合突起に係合させて、前記スライド部材の位置決めをすることにより、前記延伸部材を任意の長さに調整することができるようにしたことを特徴とする請求項１ないし３のいずれかに記載の点眼補助具用スペーサまたはスペーサ付点眼補助具。
【請求項５】
前記弾性ロック部材が、前記ガイド溝の左右一対の係合突起とそれぞれ係合する係合部を上端部に備えた左右一対の棒状体からなるとともに、前記弾性ロック部材を構成する各棒状体の上端部につまみ用板部材を設けることにより、
前記各棒状体のつまみ用板部材を手でつまむ操作をすると、前記各棒状体の上端部分どうしが近づくとともに、前記左右一対の係合突起と前記各棒状体の係合部との係合が解かれて、前記スライド部材をスライドさせることができるようにしたことを特徴とする請求項１ないし４のいずれかに記載の点眼補助具用スペーサまたはスペーサ付点眼補助具。
【請求項６】
前記左右一対の係合突起は、下部縁部分を前記ガイド溝の両側縁部分と直交するように形成し、上部縁部分を前記ガイド溝の両側縁部分から下向きに傾斜するよう形成するとともに、
前記弾性ロック部材を構成する各棒状体の上端部に設けたそれぞれ前記左右一対の係合突起と係合する係合部の上部縁部分を対向する前記ガイド溝の両側縁部分と直交するよう形成し、下部縁部分を対抗する前記ガイド溝の両側縁部分から下向きに傾斜するよう形成するようにしたことを特徴とする請求項１ないし５のいずれかに記載の点眼補助具用スペーサまたはスペーサ付点眼補助具。
【考案の詳細な説明】
【技術分野】
【０００１】
本考案は、目薬容器を用いて目薬を注す際に用いる点眼補助具に関し、容易にかつ正確に目薬を目部に注すことができるようにするスペーサに関するものである。
【背景技術】
【０００２】
国内の眼科患者数は年々増加しており、白内障や緑内障、加齢性の眼底疾患、糖尿病などの成人病による眼疾患は高齢社会の進展に伴ってますます増加し続けるものと予測される。
さらにドライアイ、眼精疲労など眼関連症状を有する人口は増加しており、薬店などで点眼薬を購入し、利用する利用者は今後さらに増大することが予想されている。
ちなみに、現在の眼科の薬物治療はほとんどが点眼薬を用いて行われている。さらに多くの患者は複数の点眼薬を利用している。現在、下記に示すような点眼補助具は複数種あるが、複数の点眼瓶に対応しているものは非常に少なく、また点眼薬の利用者として指の不自由な利用者や、指先の力加減が難しくなっている高齢者も多い。これら身体的条件の異なる様々な利用者において正確な点眼薬の滴下が可能である補助具はほとんど存在しない。
【０００３】
以下に、従来提案された種々の点眼補助具について示す。
例えば特開２０１５−２０５０５８号公報（特許文献１参照）には、上側開孔部に点眼瓶を着脱自在に挿着し、該点眼瓶から目薬液を目部に滴下させる際の補助を行う点眼補助具であって、上側開孔部を有する上側部材と、上側部材よりも低弾性である下側部材とを備え、上側部材と下側部材は、夫々の中央に有する貫通孔を連通させるように一体化されており、点眼補助具は、点眼瓶を介した被押圧による、上側開孔部の下部の口径拡がりを規制する規制部を有する点眼補助具が提案されている。
【０００４】
また特開２００７−２４４５１０号公報（特許文献２参照）には、補助具本体と保持部から構成され、本体には瞼周辺に当接される下側開口部と、点眼瓶の首部を挿着する上側開口部が貫通して形成されており、保持部は２片の弾性板材から構成され、本体の上側開口部の肩部分から立設していて、保持部が点眼瓶の胴部を把持し、安定させるようにした点眼補助具が提案されている。
【０００５】
特開２００７−２１５９６２号公報（特許文献３参照）には、目薬容器と、環状に形成した周側枠の外周前後方向に片持ち軸を突設するとともに、目薬容器を倒立姿勢で支持しその下向きの滴下ノズルが周側枠の内側を貫通するように装着させることのできる基枠体と、上半部は押圧片を有する押圧操作部となし、中間部は前記環状の周側枠を抱え込むことができ且つ前記片持ち軸に枢着できる枢着部を有する揺動基部となし、下半部は滴下ノズルが嵌合し得るキャップ形状の凹部を有する開閉下脚部を形成し、その下には外側に反り返るように形成された瞼当て部を設けてなる左右一対の揺動部材と、一対の発条とからなる目薬点眼補助具が提案されている。
【０００６】
しかしながら前記従来の点眼補助具においては、目薬容器の胴部を押圧する手段がほぼ指の押圧力のみの直接的な機構が採用されており、指で押圧するのに微妙な力加減を必要としており、指の不自由な利用者や指先の力加減の困難な人や高齢者では自由に使えないという問題点があったのである。
また、眼病治療のための目薬は薬の成分が強いために目に正確に１滴を点眼することが早期治療となるのであり、より精度よく１滴分のみ押圧して点眼することが望まれていた。
【０００７】
そこで、本件出願人は、上記の様な問題点を解消するために、目薬容器の押圧手段を「てこの原理」を利用したものとして、高齢者等でも微妙な点眼操作が容易となり、また手のひらで包み込むようにすれば手全体で力加減を行うことができて非常に使いやすい点眼補助具を発明した。（特開２０１８−０６１６２３、特許文献４参照）。
【先行技術文献】
【特許文献】
【０００８】
【特許文献１】特開２０１５−２０５０５８号公報
【特許文献２】特開２００７−２４４５１０号公報
【特許文献３】特開２００７−２１５９６２号公報
【特許文献４】特開２０１８−０６１６２３号公報
【考案の概要】
【考案が解決しようとする課題】
【０００９】
本件出願人の発明した前記点眼補助具（特許文献４）の点眼補助具においては、目薬容器の押圧手段を「てこの原理」を利用したものとして、高齢者等でも微妙な点眼操作が容易となり、また手のひらで包み込むようにすれば手全体で力加減を行うことができて非常に使いやすい点眼補助具を提供することができるようになったものの、点眼補助具を使用して目薬を目部に注ぐ際に、使用者の目部周辺に接触させるスペーサの形状が単一形状であったため、使用者ごとの身体的事情によっては、目薬を目部の適切な位置に滴下させることが容易ではない場合があった。
また、前記スペーサの形状について、複数の形状のスペーサを用意して、使用者が使用時に適切なスペーサを選択して、前記点眼補助具に取り付けて使用するようにすることもできたものの、スペーサの付け外しの手間、部品点数の増加による管理・保管等の煩雑さを解消する必要があった。
【００１０】
本考案は、上記のような問題点を解決するためになされたものであって、その目的は、使用者ごとの身体的事情を問わず、点眼補助具を使用して目部の適切な位置に目薬を滴下させることができるように目薬と目部との位置関係を適切なものすることを目的とする。
また、ワンタッチで変形可能なスペーサとすることによってひとつのスペーサで使用者ごとの身体的事情に対応することができ、点眼補助具へのスペーサの付け外しの手間を解消するとともに、部品点数の増加による管理・保管等の煩雑さを解消した点眼補助具用スペーサまたはスペーサ付点眼補助具を提供することを目的とする。
【課題を解決するための手段】
【００１１】
上記課題を解決するため、本考案の点眼補助具用スペーサは、目薬容器の容器本体が搭載された点眼補助具に取り付けられるスペーサであって、
前記スペーサは、下向きの略コ字状断面のスペーサ本体と、
前記スペーサ本体の上端に設けられ、前記点眼補助具と係合可能なフランジ部を備えた上端開口部と、
前記スペーサ本体の下端開口縁に設けられ、長さ調整機構を備えた延伸部材とを備え、
前記上端開口部が前記目薬容器の容器本体が搭載された点眼補助具の下部開口部に取り付けられることにより、目薬の点眼に際して、使用者ごとに前記長さ調整機構により長さを調整した前記延伸部材の端部をまぶたの下部に当接させるとともに、前記スペーサ本体の下端開口縁の前記スライド部と対向する部分をまぶたの上部に当接させることにより、前記目薬容器から目薬が滴下する位置を容易に決定することができ、位置ズレすることなく正確に目薬を目部に滴下させることができるようにしたことを特徴とするものである。
【００１２】
本考案のスペーサ付点眼補助具は、リング状ガイドと、
前記リング状ガイドに取り付けられて前記目薬容器の容器本体を押圧する、弾性素材からなるほぼＵ字状の押圧翼とを備え、
前記リング状ガイド内には複数の切込みで形成された複数の保持片を備えたボトル保持部が内向きに取り付けられて首部のサイズの異なる目薬容器を挿着することができ、
前記リング状ガイドは外周側に所望の間隔で一対のガイド枠が突設され、かつ前記ガイド枠にはガイド孔が設けられており、
前記押圧翼はその内面側には適宜間隔で配置した一対の押圧用突起を備え、また前記リング状ガイドに設けた一対のガイド枠に対応してスライド片が形成され、このスライド片に設けた開口部を前記リング状ガイドのガイド枠内に外向きに突設したガイド片に係合させてあるため、
前記押圧翼を握る操作をすると、前記押圧用突起が目薬容器の容器本体を押圧して目薬容器から目薬がまぶたに点眼できるようにした点眼補助具の下部開口部に、
下向きの略コ字状断面のスペーサ本体と、
前記スペーサ本体の上端に設けられ、前記点眼補助具と係合可能なフランジ部を備えた上端開口部と、
前記スペーサ本体の下端開口縁に設けられ、長さ調整機構を備えた延伸部材とを備えたスペーサの前記上端開口部を取り付けることにより、
目薬の点眼に際して、使用者ごとに前記長さ調整機構により長さを調整した前記延伸部材の端部をまぶたの下部に当接させるとともに、前記スペーサ本体の下端開口縁の前記スライド部と対向する部分をまぶたの上部に当接させることにより、前記目薬容器から目薬が滴下する位置を容易に決定することができ、位置ズレすることなく正確に目薬を目部に滴下させることができるようにしたことを特徴とするものである。
【００１３】
本考案の点眼補助具用スペーサまたはスペーサ付点眼補助具は、前記延伸部材が、前記スペーサ本体の下端開口縁から下向きに設けられた下垂部と、前記下垂部にスライド可能に取り付けられたスライド部材とからなることをも特徴とするものである。
【００１４】
本考案の点眼補助具用スペーサまたはスペーサ付点眼補助具は、前記長さ調整機構が、前記下垂部の中央に設けられたガイド溝と、前記ガイド溝の両側縁部分に所定の間隔で複数設けられた左右一対の係合突起と、前記スライド部材に設けられ、前記左右一対の係合突起に係合させる弾性ロック部材とからなり、
前記スライド部材を前記下垂部の長さ方向に沿ってスライドさせた際に、前記弾性ロック部材を前記左右一対の係合突起に係合させて、前記スライド部材の位置決めをすることにより、前記延伸部材を任意の長さに調整することができるようにしたことをも特徴とするものである。
【００１５】
本考案の点眼補助具用スペーサまたはスペーサ付点眼補助具は、前記弾性ロック部材が、前記ガイド溝の左右一対の係合突起とそれぞれ係合する係合部を上端部に備えた左右一対の棒状体からなるとともに、前記弾性ロック部材を構成する各棒状体の上端部につまみ用板部材を設けることにより、
前記各棒状体のつまみ用板部材を手でつまむ操作をすると、前記各棒状体の上端部分どうしが近づくとともに、前記左右一対の係合突起と前記各棒状体の係合部との係合が解かれて、前記スライド部材をスライドさせることができるようにしたことをも特徴とするものである。
【００１６】
本考案の点眼補助具用スペーサまたはスペーサ付点眼補助具は、前記左右一対の係合突起は、下部縁部分を前記ガイド溝の両側縁部分と直交するように形成し、上部縁部分を前記ガイド溝の両側縁部分から下向きに傾斜するよう形成するとともに、
前記弾性ロック部材を構成する各棒状体の上端部に設けたそれぞれ前記左右一対の係合突起と係合する係合部の上部縁部分を対向する前記ガイド溝の両側縁部分と直交するよう形成し、下部縁部分を対抗する前記ガイド溝の両側縁部分から下向きに傾斜するよう形成するようにしたことをも特徴とするものである。
【考案の効果】
【００１７】
点眼補助具を介して目薬容器から目薬を目部に滴下させようとする点眼補助具の使用者のほぼ全てが、頭部を斜めに傾斜して使用するという実情において、前記従来の点眼補助具においてまぶた近傍と当接させるサポート部のような単一の形状では、前記サポート部の下部開口縁の全周を使用者のまぶた近傍に当接させてしまうと、かえって目薬を滴下させる位置決めが困難となる場合もあったところ、本考案に係る本考案の点眼補助具用スペーサまたはスペーサ付点眼補助具によれば、スペーサの下部開口縁に延伸部材を設けることで、使用者ごとの身体的事情を問わず、また使用者の姿勢に応じて、目薬と目部との位置関係を適切なものすることができ、点眼補助具を使用して目部の適切な位置に目薬を滴下させることができるようになった。
また、前記延伸部材に使用者ごとの身体的事情に応じた長さ調整機構を搭載してワンタッチで変形可能なスペーサとすることによって、ひとつのスペーサで使用者ごとの身体的事情に対応することができ、点眼補助具へのスペーサの付け外しの手間を解消するとともに、部品点数の増加による管理・保管等の煩雑さを解消することができるようになった。
【００１８】
また、前記延伸部材を構成する下垂部に設けたガイド溝の両側縁部分の左右一対の係合突起と、前記スライド部材に設けた弾性ロック部材の前記左右一対の係合突起と係合する係合部との係合において、前記スライド部材がまぶたに当接して上向きに付勢された際には、前記ガイド溝の係合突起と前記弾性ロック部材の係合部とが係合して前記スライド部材がスライドしないようにするとともに、前記スライド部を指でつまむ等して下向きに付勢すると、前記ガイド溝の係合突起と前記弾性ロック部材の係合部との係合が解かれて、前記スライド部材がスライドするようにしたので、使用者が点眼補助具を使用した際に、前記スライド部材が使用者の意に反してスライドして前記延伸部材が短くなることを防ぐとともに、使用者が前記延伸部材を任意の長さに容易に調整することができるので、非常に快適にかつ安心して使用することができるようになった。
【図面の簡単な説明】
【００１９】
【図１】本考案に係る点眼補助具用スペーサの１実施例を表すものであり、スペーサ本体とスライド部材の分解状態の概略正面図である。
【図２】その概略背面図である。
【図３】その概略側面図である。
【図４】その概略断面図である。
【図５】その概略斜視図である。
【図６】その概略透視斜視図である。
【図７】その概略中央断面斜視図である。
【図８】その組立状態の概略正面図である。
【図９】その概略背面図である。
【図１０】その概略側面図である。
【図１１】その概略断面図である。
【図１２】その概略斜視図である。
【図１３】その概略透視斜視図である。
【図１４】そのスライド部材を下向きにスライドさせた状態を示す概略正面図である。
【図１５】その概略背面図である。
【図１６】その概略側面図である。
【図１７】その概略断面図である。
【図１８】その概略斜視図である。
【図１９】その概略透視斜視図である。
【図２０】本考案に係るスペーサ付点眼補助具の１実施例を表すものであり、リング状ガイドの正面図である。
【図２１】その中央切断正面図である。
【図２２】リング状ガイドの斜視図である。
【図２３】その中央切断斜視図である。
【図２４】その平面図である。
【図２５】その底面図である。
【図２６】ボトル保持部の斜視図である。
【図２７】その中央切断斜視図である。
【図２８】リング状ガイドの内側にボトル保持部を装着した状態の斜視図である。
【図２９】その中央切断斜視図である。
【図３０】（ａ）は押圧翼の側面図、（ｂ）は反対側の面を示す側面図である。
【図３１】（ａ）は押圧翼の正面図、（ｂ）はその背面図である。
【図３２】押圧翼の斜視図である。
【図３３】押圧翼を反対側から見た斜視図である。
【図３４】リング状ガイドと押圧翼を組み付けようとする状態を示すものであり、（ａ）は組み付け前の断面図、（ｂ）はリング状ガイドのガイド片の斜面に沿って押圧翼のスライド片が押し込まれる状態を示す断面図、（ｃ）は押圧翼のスライド片が押し込まれた状態を示す断面図、（ｄ）は押圧翼に負荷がかかってスライド片がリング状ガイドのガイド片の下面に沿って移動する状態を示す断面図である。
【図３５】リング状ガイドとボトル保持部を組み付け、さらにＵ字状に形成した押圧翼を組み付けようとする状態を示す斜視図である。
【図３６】組み付け完了時の斜視図である。
【図３７】ボトル保持部に目薬容器を取り付けようとする段階の斜視図である。
【図３８】ボトル保持部に目薬容器を取り付けた上、押圧翼を手のひらで握る操作をしている状態の斜視図である。
【図３９】押圧翼の押圧用突起と目薬容器の位置関係を示す平面図である。
【図４０】てこの原理を説明するための概略平面図である。
【図４１】押圧翼を手のひらで握りしめようとする段階の概略平面図である。
【図４２】押圧翼押圧用突起で目薬容器を押圧した状態の概略平面図である。
【図４３】手のひらで点眼補助具を握りしめて点眼する状態を示す概略説明図である。
【図４４】リング状ガイドを下部で水平に切断した状態の断面図である。
【図４５】リング状ガイドの当該箇所をスペーサの上端開口部に結合しようとする状態の斜視図である。
【図４６】リング状ガイドとボトル保持部を組み付け、さらにその下部にスペーサを組み付けた状態を示す斜視図である。
【図４７】さらにＵ字状に形成した押圧翼を組み付けようとする状態を示す斜視図である。
【図４８】組み付け完了時の斜視図である。
【図４９】ボトル保持部に目薬容器を取り付けようとする段階の概略断面図である。
【図５０】ボトル保持部に目薬容器を取り付けた状態の概略断面図である。
【図５１】本考案に係るスペーサ付点眼補助具の使用状態を示すものであり、スペーサの延伸部材を延伸方向に沿って最も短い状態として、延伸部材をまぶたの下部に当接するとともに、スペーサの下部開口縁の前記延伸部材と対向する位置をまぶたの上部に当接して、押圧翼に負荷をかけようとする段階の概略断面図である。
【図５２】その、押圧翼に負荷をかけて目薬容器を押圧用突起で押圧し、１滴の目薬が目に滴下される状態を示す概略断面図である。
【図５３】本考案に係るスペーサ付点眼補助具の使用状態を示すものであり、スライド部材を下向きにスライドさせて延伸部材を延伸方向に沿って最も長い状態として、延伸部材をまぶたの下部に当接するとともに、スペーサの下部開口縁の前記延伸部材と対向する位置をまぶたの上部に当接して、押圧翼に負荷をかけようとする段階の概略断面図である。
【図５４】その、押圧翼に負荷をかけて目薬容器を押圧用突起で押圧し、１滴の目薬が目に滴下される状態を示す概略断面図である。
【考案を実施するための形態】
【００２０】
以下この考案の点眼補助具用スペーサの実施の形態を図面に基いて詳細に説明する。
図１ないし図１９は、本考案の点眼補助具用スペーサを示すものである。先ず本考案の点眼補助具用スペーサ１１は、後述の目薬容器５１の容器本体５１ａが搭載された点眼補助具３１に取り付けられるスペーサとして適用することができる。前記スペーサ１１は、下向きの略コ字状断面のスペーサ本体１２と、前記スペーサ本体１２の下端開口縁１２ｃに設けられ、長さ調整機構１４を備えた延伸部材１３とを備えている。
また、前記スペーサ本体１２は、上端に前記点眼補助具３１と係合可能なフランジ部１２ｂを備えた上端開口部１２ａを設けてある。
このような構成とすることにより、目薬の点眼に際して、使用者ごとに前記長さ調整機構１４により長さを調整した前記延伸部材１３の下端部をまぶたの下部に当接させるとともに、前記スペーサ本体１２の下端開口縁１２ｃの前記延伸部材１３と対向する部分をまぶたの上部に当接させることにより、前記目薬容器５１から目薬が滴下する位置を容易に決定することができ、位置ズレすることなく正確に目薬を目部に滴下させることができるのである。
【００２１】
前記延伸部材１３は、前記スペーサ本体１２の下端開口縁１２ｃから下向きに設けられた下垂部１５と、前記下垂部１５にスライド可能に取り付けられたスライド部材１６とから構成されている。
すなわち、前記下垂部１５は、中央にガイド溝１５ａを備え、前記スペーサ本体１２の下端開口縁１２ｃから所定の幅で、前記下端開口縁１２ｃに沿った円弧状断面としてある。また、前記ガイド溝１５ａには、両側縁部分に所定の間隔で左右一対の係合突起１５ｂを複数設けてある。
前記左右一対の係合突起１５ｂは、突起を構成する下側縁部分１５ｃが前記ガイド溝１５ａの両側縁部分と直交するよう形成されており、上側縁部分１５ｄは前記ガイド溝１５ａの両側縁部分から下向きに傾斜した状態で形成されている。
【００２２】
前記スライド部材１６の基部１６ａは、前記下垂部１５の下端部に沿った底部１６ｂと前記下垂部１５の左右両辺に沿った側壁１６ｃとで構成された上向きコ字状をなしている。前記両側側壁１６ｂからは、前記下垂部１５の前面側にそれぞれ前面スライドガイド板１６ｄを取り付けてあるとともに、前記下垂部の背面に後面スライドガイド板１６ｅを取り付けてある。
また、前記スライド部材１６は、前記基部１６ａの底部１６ｂの中央部分に、前記下垂部１５の背面側に沿って上向きの左右一対の棒状体からなる弾性ロック部材１７を設けている。
前記弾性ロック部材１７には、それぞれ上端部に前記ガイド溝１５ａに設けた左右一対の係合突起１５ｂに係合させる係合部１７ａを備え、前記係合部１７ａは、常時、前記ガイド溝１５ａの左右一対の係合突起１５ｂと接触した状態となるよう配されている。
【００２３】
より詳しくは、前記スライド部材１６を上方にスライドさせて、前記延伸部材１３が最も短くなるようにした際は、前記弾性ロック部材１７の係合部１７ａの上側縁部分１７ｃは、前記ガイド溝１５ａと当接して、前記スライド部材１６の上方へのスライドが完了する。このとき、前記弾性ロック部材１７の係合部１７ａの下側縁部分１７ｂは、前記ガイド溝１５ａの左右一対の係合突起１５ｂの上側縁部分１５ｄと当接している。
また、前記スライド部材１６を下方にスライドさせて、前記延伸部材１３が最も長くなるようにした際は、前記弾性ロック部材１７の係合部１７ａの下側縁部分１７ｂは前記ガイド溝１５ａと当接して、前記スライド部材１６の下方へのスライドが完了する。このとき、前記弾性ロック部材１７の係合部１７ａの上側縁部分１７ｃは、前記ガイド溝１５ａの左右一対の係合突起１５ｂの上側縁部分１５ｄと当接している。
【００２４】
すなわち、前記弾性ロック部材１７の係合部１７ａは、前記ガイド溝１５ａの左右一対の係合突起１５ｂと常時接触した状態で配されており、前記スライド部材１６の下端部がまぶたの下部に当接されて上向きに付勢されると、前記係合部１７ａの上側縁部分１７ｃが必ず前記ガイド溝１５ａの左右一対の係合突起１５ｂの下側縁部分１５ｃもしくは前記ガイド溝１５ａと当接して、使用者の意に反して前記スライド部材１６が上方へスライドできないようにしてある。
一方、前記スライド部材１６を指でつまむ等して下向きにスライドさせるときは、前記ガイド溝１５ａの左右一対の係合突起１５ｂの上側縁部分１５ｃと当接した前記弾性ロック部材１７の係合部１７ａの下側縁部分１７ｂが、前記左右一対の係合突起１５ｂの上側縁部分１５ｄの下向きの傾斜に誘導されて、前記弾性ロック部材１７を構成する左右一対の棒状体の上端が互いに近づくよう変形し、前記弾性ロック部材１７の係合部１７ａと前記ガイド溝１５ａの左右一対の係合突起１５ｂの係合が解かれて、前記スライド部材１６が下方にスライドすることができるようにしてある。
【００２５】
なお、前記弾性ロック部材１７を構成する左右一対の棒状体の上端には、それぞれ前記下垂部１５の前面側に突出するように形成したつまみ用板部材１７ｄを備えており、使用者が、前記つまみ用板部材１７ｄを指でつまむ等することにより、前記弾性ロック部材１７を構成する左右一対の棒状体の上端が互いに近づくよう変形させて、前記弾性ロック部材１７の係合部１７ａと前記ガイド溝１５ａの左右一対の係合突起１５ｂの係合が解いて、前記スライド部材１６を上下の任意の方向にスライドさせることもできる。
【００２６】
以上のとおり、前記延伸部材１３は、前記スライド部材１６をスライドさせて前記延伸部材１３の長さを調整することができる長さ調整機構１４を備え、前記長さ調整機構１４は、使用者が自ら前記延伸部材１３の長さを調整することができるとともに、使用者の意に反して前記延伸部材１３の長さが短くならないようにしてあるので、使用者が点眼補助具を使用した際に、使用者の身体的事情に合わせて前記延伸部材１３の長さを調整することで、目薬の目部への滴下の位置決めを容易にかつ正確に行うことができ、非常に快適に、安心して使用することができるのである。
【００２７】
ついで、この考案のスペーサ付点眼補助具の実施の形態を図面に基いて詳細に説明する。
図２０ないし図５４は、本考案のスペーサ付点眼補助具を示すものである。先ず本考案のスペーサ付点眼補助具３１は、支点部と、作用点部と、前記支点部と前記作用点部の距離よりも前記支点部らの距離が大きい力点部を有する押圧翼と、ボトル保持部とを備え、前記力点部に力を加えることにより、作用点部からボトル保持部に保持された薬液瓶に、加えた力よりも大きな力が加わることを特徴とするものである。
その上で、前記作用点部が動くことにより描かれる弧を含む面と、前記複数の保持片が形成する面とが略平行であることをも特徴としている。
以下にその第１の実施形態を図面に基いて詳細に説明する。
（第１の実施形態）
図２０ないし図２５は本考案の実施形態に係るスペーサ付点眼補助具３１を構成するリング状ガイド３２を表すものである。
図において筒状のリング状ガイド３２は、筒状本体３２ａと段差３２ｂを介して連結した細径部３２ｃとで構成されている。そしてこの細径部３２ｃの開口端３２ｄには外向きに所定間隔で一対の係合片３２ｅが突設されている。
なお、筒状のリング状ガイド３２の筒状本体３２ａの外周側には、所望の間隔で一対のガイド枠３３，３３が突設され、かつ前記ガイド枠３３，３３にはそれぞれガイド孔３４が上下に貫通して設けられている。３５は、前記リング状ガイド３２のガイド枠３３，３３内に外向きに突設したガイド片である。このガイド片３５の上面には下向きの傾斜面３５ａが形成され、またガイド片３５の下面には水平面３５ｂが形成されている。
また、前記リング状ガイド３２の外周側に所望の間隔で突設した一対のガイド枠３３，３３は、図２４および図２５に示すように、前記リング状ガイド３２の中心線より所望の角度α分ずらして配置されており、後述の押圧翼に負荷をかけた際に押圧用突起が正対するようになっている。
【００２８】
本実施形態において、前記ボトル保持部は、複数の保持片を備え、前記保持片が薬液瓶の首部を周囲から押さえつけることにより、薬液瓶を保持することを特徴としている。
また、弾性を有する複数の保持片を有し、前記保持片が薬液瓶の首部を周囲から押さえつけることにより、薬液瓶を保持するボトル保持部を備えたことをも特徴としている。
さらに、前記ボトル保持部は、円筒状本体を備え、前記保持片は、その一辺を円筒状本体と接続され、他の辺が薬液ボトルの首部に当接されることをも特徴とするものである。
そして、前記円筒状本体は、その内面が多段に形成されていることをも特徴とするものである。
このようなボトル保持部を図面に基いて詳細に説明する。
図２６および図２７は複数の切込み４１ｂで仕切られた複数の保持片４１ａを内向きに設けた筒状のボトル保持部４１を示すものであり、該ボトル保持部４１は前記リング状ガイド３２内に取り付けられて首部のサイズの異なる目薬容器を無理なく挿着することができるようになっている。
また前記ボトル保持部４１は、円筒状本体４１ｃを備え、該本体３２ｃの内周面を下方に向かって径を縮小させる方向に複数の段差４１ｄ，４１ｅを備えた多段に形成するとともに、下部の段差４１ｅから複数の切込み４１ｂで仕切られた複数の保持片４１ａを下つぼまりとなるよう垂下させてある。したがって、前記複数の保持片４１ａ内に首部のサイズの異なる目薬容器を挿着することができ、また各段差４１ｄ，４１ｅでも目薬容器の種々のサイズに対応できるようになっている。
もちろん、前記ボトル保持部２１としてサイズの異なる複数の種類を準備しておけば、適宜交換して首部のサイズの異なる目薬容器や微少点滴用ボトルにも迅速に対応することができる。
また、目薬容器の形状に合わせてさらに複数段の段差を備えた多段構造とすることもできる。
【００２９】
図２８および図２９は前記リング状ガイド３２内にボトル保持部４１を複数の保持片４１ａが内向きとなるように取り付けた状態を示すものであり、該ボトル保持部４１の円筒状本体４１ｃは前記リング状ガイド３２の段差３２ｂに係合して固定されている。
【００３０】
図３０（ａ），（ｂ）および図３１（ａ），（ｂ）、図３２、図３３は前記リング状ガイド３２の前記ガイド枠３３，３３に取り付けられる、両端部をやや下向きに傾斜させた押圧翼４２を示すものである。
この押圧翼４２は所定の長さのバンド本体４２ａの側辺に、前記リング状ガイド３２に設けた一対のガイド枠３３，３３に対応してスライド片４３，４３が形成されており、スライド片４３，４３にはスライド孔４３ａが形成されている。
また押圧翼４２の内面側には適宜間隔で配置した一対の押圧用突起４４，４４が突設されている。該押圧用突起４４，４４は、バンド本体４２ａと一体に設けても、また取付取り外しが可能なように別体としてもよい。その場合には、長さの異なる複数の種類を用意しておけば、目薬容器のサイズ等に応じて適宜取り替えて使用することができる。
そして、前記スライド片４３，４３のスライド孔４３ａが前記リング状ガイド３２のガイド枠３３，３３内に設けたガイド片３５に係合するようになっている。すなわち、図３４（ａ）の状態から、図３４（ｂ）のように前記スライド片４３，４３をガイド枠３３，３３内に押し込むと、前記ガイド片３５の上面には下向きの傾斜面３５ａが形成されているため前記スライド片４３，４３は拡がるように下降し、先端に達して図３４（ｃ）のようにスライド孔４３ａが前記ガイド片３５に係合するようになる。その上で図３４（ｄ）のように前記スライド片４３，４３は元の状態に戻ろうとしてスライド孔４３ａはガイド片３５の下面の水平面３５ｂに沿ってスライドし、かつ前記ガイド片３５によって抜け止めされる。
その上で、前記押圧翼４２を握る操作をすると、前記スライド片４３，４３はガイド片３５に沿ってスライドし、前記押圧用突起４４，４４が目薬容器の容器本体を押圧して目薬容器から目薬が目部に点眼できるようになっている。
ちなみに、図２４に示すように前記一対のガイド枠３３，３３は前記リング状ガイド３２の筒状本体３２ａの外周上に等しい間隔で取り付けられてはおらず、前記押圧用突起４４，４４が目薬容器の容器本体を押圧する位置において前記押圧用突起４４，４４どうしが正対するように、所定の角度αで押圧翼４２の両端側が開くように配置されている。
なお、前記ガイド片３５は上面を下向きに傾斜させてあるため、前記押圧翼４２のスライド片４３，４３を無理なく押し込むことができる。
図において４２ｂは、前記バンド本体４２ａの長さ方向の端部の外周側に形成した補強用リブであり、４２ｃは該補強用リブ４２ｂの内側に突設した複数の突条からなる滑り止めである。
【００３１】
図３５はこの押圧翼４２をＵ字状に成形した上、スライド片４３，４３を前記リング状ガイド３２のガイド枠３３，３３に係合する段階を示すものであり、図３６は組み付けが完了した状態を示すものである。
すなわち、前記リング状ガイド４２のガイド枠３３，３３のガイド孔３４内側には外向きにガイド片３５が突設されている。そしてガイド片３５の先端はガイド枠３３，３３の先端部分の内側とは切り離され、かつ高さもやや下側に形成されている。
したがって、前記スライド片４３，４３は前記リング状ガイド３２のガイド枠３３，３３のガイド片３５の先端部分から押し込むことにより係合され、簡単に外れることがない。
【００３２】
なお、この段階において、すでに実用的に使用することができる。
すなわち、目薬容器５１を準備して図３７に示す状態から図３８に示すようにこの目薬容器５１を前記ボトル保持部４１内に装着する。
そして、手のひらで前記押圧翼４２を握る操作をすると、前記押圧用突起４４，４４が目薬容器５１の容器本体５１ａを押圧して目薬容器から目薬が目部に点眼できるようになるのである。
【００３３】
その際、前記押圧翼４２はてこの原理で動作する。すなわち、図３９のように前記押圧翼４２と目薬容器５１は当初は押圧用突起４４，４４の先端で接触している。その際、前記一対のガイド枠３３，３３は前記リング状ガイド３２（図示せず）の中心線より所望の角度α分ずらして配置されているため、前記押圧用突起４４，４４もα分ずれて目薬容器５１の表面に接触している。図４０にてこの原理における支点（押圧翼４２の中間部分）Ａ、作用点（押圧用突起４４，２４）Ｂ、力点（押圧翼４２の両側端部）Ｃの位置を示す。もちろん、Ａ−Ｂ＜Ｂ−Ｃの関係である。
したがって、図４１のように力点（押圧翼４２の両側端部）Ｃに負荷をかけると、図４２のように作用点（押圧用突起４４，４４）Ｂが目薬容器５１の容器本体５１ａに食い込むようになり、負荷を調節しながら例えば目薬の１滴を確実に点眼することができるようになる。
すなわち、図４３に示すように、前記押圧翼４２を持った状態で手首をほほに接して支えにしながら、手のひらで前記押圧翼４２を握る操作をすると、前記押圧用突起４４，４４が目薬容器５１の容器本体５１ａを押圧して目薬容器５１から目薬が目部に点眼できるようになるのである。
しかしながら、この段階において実用的に使用することができるものの、目薬の目部への滴下に際して、位置決めがそこまで容易ではなく、使用者によっては目薬が目部の外に滴下してしまうといった事態も想定される。
【００３４】
そこで、本考案に係るスペーサ付点眼補助具では、前記ボトル保持部として、さらにまぶた周辺に当接されるスペーサを備えたことを特徴とするものである。
以下にその第２の実施形態を図面に基いて詳細に説明する。
（第２の実施形態）
上述の図１ないし図１９に示したとおり、第２の実施形態において用いられる前記スペーサ１１は、前記スペーサ本体１２の上端開口部１２ａに所定の幅のフランジ部１２ｂが形成されており、このフランジ部１２ｂに前記リング状ガイド３２の下部にほぼ対称に形成した一対の係合片３２ｅを挿通させる凹部１７が形成されている。
したがって、図４４、図４５に示す前記一対の係合片３２ｅを、前記凹部１７に挿通した上、図４６に示すように前記リング状ガイド３２を回して前記係合片４２ｅを前記フランジ部１２ｂに係合させることにより、ワンタッチで前記リング状ガイド３２と前記スペーサ１１とを連結することができる。
【００３５】
また前記スペーサ１１には、上端開口部１２ａに設けたフランジ部１２ｂの内周に係合溝１２ｄが形成してあり、前記リング状ガイド３２に形成した一対の係合片３２ｅの間に突設した係合突起３２ｆを前記係合溝１２ｄに係合させれば、前記スペーサ１１と前記リング状ガイド３２とは簡単に回り止めする構造となるのである。
ちなみに、前記スペーサ１１を透明で柔軟なプラスチック素材とすることにより、目薬を滴下する状態を目視で確認することができ、また第三者が使用者に点眼の位置を教えたりすることができるので安全で正確な点眼を行うことが可能となる。もちろん、前記スペーサ１１を半透明や不透明素材とした場合であっても、前記スペーサ１１の前記延伸部材１３と、前記スペーサの下端開口縁１２ｃの前記延伸部材１３と対向する位置との中間位置から、目薬を滴下する状態を目視で確認することができることはいうまでもない。
本実施形態において前記スペーサ１１は、前記延伸部材１３の下端をまぶたの下部に接するように押し当てられ、使用者によってはさらに、前記スペーサ本体１２の下端開口縁１２の前記延伸部材１３と対向する位置をまぶたの上部に押し当てられ、この状態で前記押圧翼４２を握る操作をすると、前記押圧用突起４４，４４が目薬容器５１の容器本体５１ａを押圧して目薬容器５１から目薬が目部に正確に点眼できるようになるのである。
このスペーサ１１は、前記延伸部材１３の長さ調整機構１４によって、使用者ごとに適宜長さを調整することができるので、長さの異なる複数の種類を用意する必要がなく、点眼補助具へのスペーサの付け外しの手間を解消するとともに、部品点数の増加による管理・保管等の煩雑さを解消することができて便利である。
【００３６】
図４７および図４８は前記リング状ガイド３２の前記ガイド枠３３，３３に押圧翼４２を取り付ける状態を示すものである。すなわち、前記スライド片４３，４３は前記リング状ガイド３２のガイド枠３３，３３のガイド片３５の上面の傾斜面から押し込むことにより係合され、簡単に外れることがない。
図４９および図５０は、前記目薬容器５１を前記ボトル保持部４１に装着する状態を示すものである。
【００３７】
図５１および図５２は、前記スライド部材１６を上方にスライドさせて前記延伸部材１３の長さを短くした状態で、目薬を目部に点眼しようとする状態をしめすものである。図に示すとおり、使用者は予め身体的事情に応じて前記長さ調整機構１４により前記延伸部材１３の長さを短く調整しておき、前記押圧翼４２を手に持った状態で、前記延伸部材１３の下端部をまぶたの下部に当接させ、使用者によっては前記スペーサ本体１２の下端開口縁１２ｃの前記延伸部材１３と対向する部分をもまぶたの上部に当接させる。そして手のひらで前記押圧翼４２を握る操作をすると、前記押圧用突起４４，４４が目薬容器５１の容器本体５１ａを押圧して目薬容器５１から目薬が目部に点眼できるようになるのである。このとき、使用者は前記延伸部材１３の端部をまぶたに下部に当接させるだけで、もしくは、前記延伸部材１３の下端部をまぶたの下部に当接させ、前記スペーサ本体１２の下端開口縁１２ｃの前記延伸部材１３と対向する部分をもまぶたの上部に当接させるだけで、前記目薬容器５１から目薬が滴下する位置を容易に決定することができるので、使用者の顔の前面を水平まで傾けることなく、無理のない範囲で顔の前面を傾ければよく、非常に快適に目薬を目部に点眼できるのである。
【００３８】
図５３および図５４は、前記スライド部材１６を上方にスライドさせて前記延伸部材１３の長さを長くした状態で、目薬を目部に点眼しようとする状態をしめすものである。図に示すとおり、使用者は予め身体的事情に応じて前記長さ調整機構１４により前記延伸部材１３の長さを長く調整しておき、前記押圧翼４２を手に持った状態で、前記延伸部材１３の下端部をまぶたの下部に当接させ、使用者によっては前記スペーサ本体１２の下端開口縁１２ｃの前記延伸部材１３と対向する部分をもまぶたの上部に当接させる。そして手のひらで前記押圧翼４２を握る操作をすると、前記押圧用突起４４，４４が目薬容器５１の容器本体５１ａを押圧して目薬容器５１から目薬が目部に点眼できるようになるのである。このとき、使用者は前記延伸部材１３の端部をまぶたに下部に当接させるだけで、もしくは、前記延伸部材１３の下端部をまぶたの下部に当接させ、前記スペーサ本体１２の下端開口縁１２ｃの前記延伸部材１３と対向する部分をもまぶたの上部に当接させるだけで、前記目薬容器５１から目薬が滴下する位置を容易に決定することができるので、使用者の顔の前面を水平まで傾けることなく、無理のない範囲で顔の前面を傾ければよく、非常に快適に目薬を目部に点眼できるのである。
【００３９】
以下に本考案の点眼補助具の効果を列挙する。
Ａ．従来の製品も目薬容器を押圧することで目薬（点眼液）を滴下するが、押圧力のコントロールが困難で滴下が困難、逆に多数摘が滴下するなど適正量の滴下が困難である。本考案では押圧翼を利用することで指圧力のコントロールが容易になり、滴下数も１滴に正確にコントロールすることが可能となる。
Ｂ．目薬容器の頭部形状は種類によって大きく異なるため、従来の点眼補助具の場合、利用可能な点眼容器に制限があったが、本考案ではリング状ガイドを装着したため、多数の点眼容器に対して対応が可能となり、ほとんどすべての点眼容器に対し使用が可能となった。
Ｃ．点眼容器は小型なものが多く、手指の生活動作能力が低下している利用者の場合、点眼容器の正確な把持が困難であったが、本考案では手全体での把持が可能な押圧翼によって、点眼容器をより正確な、またしっかりした把持が可能になった。
Ｄ．視機能の低下患者の場合、点眼容器の先端ノズルを正確に眼部に合わせることが困難であり、この補助として眼周囲に密着する装置が開発されている。しかしながら、眼周囲形状は個人差が大きく、また点眼容器先端を正確に眼部へ装着することには個人差が大きい。このため一律な形状では多数利用者には対応が困難である。本考案では、眼周囲へ当接させるスペーサの長さ調整を可能とすることにより、目薬を目部へ滴下する位置の決定が容易であり、非常に快適にかつ安心して使用することができる。さらに、あらゆる使用者の身体的事情に対応可能で、使用者ごとの点眼補助具へのスペーサの付け外しの手間を解消するとともに、部品点数の増加による管理・保管等の煩雑さを解消することができる。
【産業上の利用可能性】
【００４０】
本考案は以上のように点眼補助具として説明したが、本考案の要旨を逸脱しない限り他の用途にも転用できることはいうまでもない。
【符号の説明】
【００４１】
１１  スペーサ
１２  スペーサ本体
１２ａ  上端開口部
１２ｂ  フランジ部
１２ｃ  下端開口縁
１２ｄ  係合溝
１３  延伸部材
１４  長さ調整機構
１５  下垂部
１５ａ  ガイド溝
１５ｂ  左右一対の係合突起
１５ｃ  下側縁部分
１５ｄ  上側縁部分
１６  スライド部材
１６ａ  基部
１６ｂ  底部
１６ｃ  側壁
１６ｄ  前面スライドガイド板
１６ｅ  後面スライドガイド板
１７  弾性ロック部材
１７ａ  係合部
１７ｂ  下側縁部分
１７ｃ上側縁部分
１７ｄ  つまみ用板部材
３１  点眼補助具
３２  リング状ガイド
３２ａ  筒状本体
３２ｂ  段差
３２ｃ  細径部
３２ｄ  開口端
３２ｅ  係合片
３２ｆ  係合突起
３３  ガイド枠
３４  ガイド孔
３５  ガイド片
４１  ボトル保持部
４１ａ  保持片
４１ｂ  切込み
４２  押圧翼
４２ａ  バンド本体
４２ｂ  補強用リブ
４２ｃ  滑り止め
４３  スライド片
４４  押圧用突起
４５  サポート部
４５ａ  下側開口部
４５ｂ  上側開口部
４６  フランジ部
４６ａ  係合溝
４７  凹部
５１  目薬容器
５１ａ  容器本体
【図１】
0003232308.tif 000003
【図２】
0003232308.tif 000004
【図３】
0003232308.tif 000005
【図４】
0003232308.tif 000006
【図５】
0003232308.tif 000007
【図６】
0003232308.tif 000008
【図７】
0003232308.tif 000009
【図８】
0003232308.tif 000010
【図９】
0003232308.tif 000011
【図１０】
0003232308.tif 000012
【図１１】
0003232308.tif 000013
【図１２】
0003232308.tif 000014
【図１３】
0003232308.tif 000015
【図１４】
0003232308.tif 000016
【図１５】
0003232308.tif 000017
【図１６】
0003232308.tif 000018
【図１７】
0003232308.tif 000019
【図１８】
0003232308.tif 000020
【図１９】
0003232308.tif 000021
【図２０】
0003232308.tif 000022
【図２１】
0003232308.tif 000023
【図２２】
0003232308.tif 000024
【図２３】
0003232308.tif 000025
【図２４】
0003232308.tif 000026
【図２５】
0003232308.tif 000027
【図２６】
0003232308.tif 000028
【図２７】
0003232308.tif 000029
【図２８】
0003232308.tif 000030
【図２９】
0003232308.tif 000031
【図３０】
0003232308.tif 000032
【図３１】
0003232308.tif 000033
【図３２】
0003232308.tif 000034
【図３３】
0003232308.tif 000035
【図３４】
0003232308.tif 000036
【図３５】
0003232308.tif 000037
【図３６】
0003232308.tif 000038
【図３７】
0003232308.tif 000039
【図３８】
0003232308.tif 000040
【図３９】
0003232308.tif 000041
【図４０】
0003232308.tif 000042
【図４１】
0003232308.tif 000043
【図４２】
0003232308.tif 000044
【図４３】
0003232308.tif 000045
【図４４】
0003232308.tif 000046
【図４５】
0003232308.tif 000047
【図４６】
0003232308.tif 000048
【図４７】
0003232308.tif 000049
【図４８】
0003232308.tif 000050
【図４９】
0003232308.tif 000051
【図５０】
0003232308.tif 000052
【図５１】
0003232308.tif 000053
【図５２】
0003232308.tif 000054
【図５３】
0003232308.tif 000055
【図５４】
0003232308.tif 000056
【手続補正書】
【提出日】令和3年2月22日(2021.2.22)
【手続補正１】
【補正対象書類名】実用新案登録請求の範囲
【補正対象項目名】全文
【補正方法】変更
【補正の内容】
【実用新案登録請求の範囲】
【請求項１】
目薬容器の容器本体が搭載された点眼補助具に取り付けられるスペーサであって、
前記スペーサは、下向きの略コ字状断面のスペーサ本体と、
前記スペーサ本体の上端に設けられ、前記点眼補助具と係合可能なフランジ部を備えた上端開口部と、
前記スペーサ本体の下端開口縁に設けられ、長さ調整機構を備えた延伸部材とを備え、
前記上端開口部が前記目薬容器の容器本体が搭載された点眼補助具の下部開口部に取り付けられることにより、目薬の点眼に際して、使用者ごとに前記長さ調整機構により長さを調整した前記延伸部材の端部をまぶたの下部に当接させるとともに、前記スペーサ本体の下端開口縁のスライド部と対向する部分をまぶたの上部に当接させることにより、前記目薬容器から目薬が滴下する位置を容易に決定することができ、位置ズレすることなく正確に目薬を目部に滴下させることができるようにしたことを特徴とする点眼補助具用スペーサ。
【請求項２】
リング状ガイドと、
前記リング状ガイドに取り付けられて目薬容器の容器本体を押圧する、弾性素材からなるほぼＵ字状の押圧翼とを備え、
前記リング状ガイド内には複数の切込みで形成された複数の保持片を備えたボトル保持部が内向きに取り付けられて首部のサイズの異なる目薬容器を挿着することができ、
前記リング状ガイドは外周側に所望の間隔で一対のガイド枠が突設され、かつ前記ガイド枠にはガイド孔が設けられており、
前記押圧翼はその内面側には適宜間隔で配置した一対の押圧用突起を備え、また前記リング状ガイドに設けた一対のガイド枠に対応してスライド片が形成され、このスライド片に設けた開口部を前記リング状ガイドのガイド枠内に外向きに突設したガイド片に係合させてあるため、
前記押圧翼を握る操作をすると、前記押圧用突起が目薬容器の容器本体を押圧して目薬容器から目薬がまぶたに点眼できるようにした点眼補助具の下部開口部に、
下向きの略コ字状断面のスペーサ本体と、
前記スペーサ本体の上端に設けられ、前記点眼補助具と係合可能なフランジ部を備えた上端開口部と、
前記スペーサ本体の下端開口縁に設けられ、長さ調整機構を備えた延伸部材とを備えたスペーサの前記上端開口部を取り付けることにより、
目薬の点眼に際して、使用者ごとに前記長さ調整機構により長さを調整した前記延伸部材の端部をまぶたの下部に当接させるとともに、前記スペーサ本体の下端開口縁の前記スライド部と対向する部分をまぶたの上部に当接させることにより、前記目薬容器から目薬が滴下する位置を容易に決定することができ、位置ズレすることなく正確に目薬を目部に滴下させることができるようにしたことを特徴とするスペーサ付点眼補助具。
【請求項３】
前記延伸部材が、前記スペーサ本体の下端開口縁から下向きに設けられた下垂部と、前記下垂部にスライド可能に取り付けられたスライド部材とからなることを特徴とする請求項１または２に記載の点眼補助具用スペーサまたはスペーサ付点眼補助具。
【請求項４】
前記長さ調整機構が、前記下垂部の中央に設けられたガイド溝と、前記ガイド溝の両側縁部分に所定の間隔で複数設けられた左右一対の係合突起と、前記スライド部材に設けられ、前記左右一対の係合突起に係合させる弾性ロック部材とからなり、
前記スライド部材を前記下垂部の長さ方向に沿ってスライドさせた際に、前記弾性ロック部材を前記左右一対の係合突起に係合させて、前記スライド部材の位置決めをすることにより、前記延伸部材を任意の長さに調整することができるようにしたことを特徴とする請求項３に記載の点眼補助具用スペーサまたはスペーサ付点眼補助具。
【請求項５】
前記弾性ロック部材が、前記ガイド溝の左右一対の係合突起とそれぞれ係合する係合部を上端部に備えた左右一対の棒状体からなるとともに、前記弾性ロック部材を構成する各棒状体の上端部につまみ用板部材を設けることにより、
前記各棒状体のつまみ用板部材を手でつまむ操作をすると、前記各棒状体の上端部分どうしが近づくとともに、前記左右一対の係合突起と前記各棒状体の係合部との係合が解かれて、前記スライド部材をスライドさせることができるようにしたことを特徴とする請求項４に記載の点眼補助具用スペーサまたはスペーサ付点眼補助具。
【請求項６】
前記左右一対の係合突起は、下部縁部分を前記ガイド溝の両側縁部分と直交するように形成し、上部縁部分を前記ガイド溝の両側縁部分から下向きに傾斜するよう形成するとともに、
前記弾性ロック部材を構成する各棒状体の上端部に設けたそれぞれ前記左右一対の係合突起と係合する係合部の上部縁部分を対向する前記ガイド溝の両側縁部分と直交するよう形成し、下部縁部分を対抗する前記ガイド溝の両側縁部分から下向きに傾斜するよう形成するようにしたことを特徴とする請求項５に記載の点眼補助具用スペーサまたはスペーサ付点眼補助具。
【手続補正書】
【提出日】令和3年3月29日(2021.3.29)
【手続補正１】
【補正対象書類名】実用新案登録請求の範囲
【補正対象項目名】全文
【補正方法】変更
【補正の内容】
【実用新案登録請求の範囲】
【請求項１】
目薬容器の容器本体が搭載された点眼補助具に取り付けられるスペーサであって、
前記スペーサは、下向きの略コ字状断面のスペーサ本体と、
前記スペーサ本体の上端に設けられ、前記点眼補助具と係合可能なフランジ部を備えた上端開口部と、
前記スペーサ本体の下端開口縁に設けられ、長さ調整機構を備えた延伸部材とを備え、
該延伸部材が、前記スペーサ本体の下端開口縁から下向きに設けられた下垂部と、前記下垂部にスライド可能に取り付けられたスライド部材とからなり、
前記上端開口部が前記目薬容器の容器本体が搭載された点眼補助具の下部開口部に取り付けられることにより、目薬の点眼に際して、使用者ごとに前記長さ調整機構により長さを調整した前記延伸部材の端部をまぶたの下部に当接させるとともに、前記スペーサ本体の下端開口縁のスライド部材と対向する部分をまぶたの上部に当接させることにより、前記目薬容器から目薬が滴下する位置を容易に決定することができ、位置ズレすることなく正確に目薬を目部に滴下させることができるようにしたことを特徴とする点眼補助具用スペーサ。
【請求項２】
リング状ガイドと、
前記リング状ガイドに取り付けられて目薬容器の容器本体を押圧する、弾性素材からなるほぼＵ字状の押圧翼とを備え、
前記リング状ガイド内には複数の切込みで形成された複数の保持片を備えたボトル保持部が内向きに取り付けられて首部のサイズの異なる目薬容器を挿着することができ、
前記リング状ガイドは外周側に所望の間隔で一対のガイド枠が突設され、かつ前記ガイド枠にはガイド孔が設けられており、
前記押圧翼はその内面側には適宜間隔で配置した一対の押圧用突起を備え、また前記リング状ガイドに設けた一対のガイド枠に対応してスライド片が形成され、このスライド片に設けた開口部を前記リング状ガイドのガイド枠内に外向きに突設したガイド片に係合させてあるため、
前記押圧翼を握る操作をすると、前記押圧用突起が目薬容器の容器本体を押圧して目薬容器から目薬がまぶたに点眼できるようにした点眼補助具の下部開口部に、
下向きの略コ字状断面のスペーサ本体と、
前記スペーサ本体の上端に設けられ、前記点眼補助具と係合可能なフランジ部を備えた上端開口部と、
前記スペーサ本体の下端開口縁に設けられ、長さ調整機構を備えた延伸部材とを備え、
該延伸部材が、前記スペーサ本体の下端開口縁から下向きに設けられた下垂部と、前記下垂部にスライド可能に取り付けられたスライド部材とからなり、
目薬の点眼に際して、使用者ごとに前記長さ調整機構により長さを調整した前記延伸部材の端部をまぶたの下部に当接させるとともに、前記スペーサ本体の下端開口縁のスライド部材と対向する部分をまぶたの上部に当接させることにより、前記目薬容器から目薬が滴下する位置を容易に決定することができ、位置ズレすることなく正確に目薬を目部に滴下させることができるようにしたことを特徴とするスペーサ付点眼補助具。
【請求項３】
前記長さ調整機構が、前記下垂部の中央に設けられたガイド溝と、前記ガイド溝の両側縁部分に所定の間隔で複数設けられた左右一対の係合突起と、前記スライド部材に設けられ、前記左右一対の係合突起に係合させる弾性ロック部材とからなり、
前記スライド部材を前記下垂部の長さ方向に沿ってスライドさせた際に、前記弾性ロック部材を前記左右一対の係合突起に係合させて、前記スライド部材の位置決めをすることにより、前記延伸部材を任意の長さに調整することができるようにしたことを特徴とする請求項２に記載の点眼補助具用スペーサまたはスペーサ付点眼補助具。
【請求項４】
前記弾性ロック部材が、前記ガイド溝の左右一対の係合突起とそれぞれ係合する係合部を上端部に備えた左右一対の棒状体からなるとともに、前記弾性ロック部材を構成する各棒状体の上端部につまみ用板部材を設けることにより、
前記各棒状体のつまみ用板部材を手でつまむ操作をすると、前記各棒状体の上端部分どうしが近づくとともに、前記左右一対の係合突起と前記各棒状体の係合部との係合が解かれて、前記スライド部材をスライドさせることができるようにしたことを特徴とする請求項３に記載の点眼補助具用スペーサまたはスペーサ付点眼補助具。
【請求項５】
前記左右一対の係合突起は、下部縁部分を前記ガイド溝の両側縁部分と直交するように形成し、上部縁部分を前記ガイド溝の両側縁部分から下向きに傾斜するよう形成するとともに、
前記弾性ロック部材を構成する各棒状体の上端部に設けたそれぞれ前記左右一対の係合突起と係合する係合部の上部縁部分を対向する前記ガイド溝の両側縁部分と直交するよう形成し、下部縁部分を対抗する前記ガイド溝の両側縁部分から下向きに傾斜するよう形成するようにしたことを特徴とする請求項４に記載の点眼補助具用スペーサまたはスペーサ付点眼補助具。